(57)【要約】【課題】本発明は、重厚感・安定感があり、また意匠性が高い建物の外観を実現する乾式外壁材を提供することを目的とする。【解決手段】  ＡＬＣパネル１は、建物の外壁に用いられる板状の乾式外壁材であって、正面視で矩形をなすパネル本体部３と、パネル本体部３の輪郭をなす長方形６０の４辺上に当該パネル本体部３の周囲を包囲するように所定の幅で形成され、隣接して施工される他のＡＬＣパネルとの間にシーリング処理を施すための目地処理代部５ａ〜５ｄと、を備え、パネル本体部３の表面側には、目地処理代部５ａに隣接し平行して帯状に延びる化粧目地１３が形成されていると共に、化粧目地１３よりも高く形成された台状部１５が形成されており、台状部１５の正面視形状は、縦横の長さの比が略黄金比をなす長方形であることを特徴とする。【選択図】図２
2012162946.tif 000002
【特許請求の範囲】
【請求項１】
建物の外壁に用いられる板状の乾式外壁材であって、
正面視で矩形をなす外壁材本体部と、
前記外壁材本体部の輪郭をなす矩形の４辺上に当該外壁材本体部の周囲を包囲するように所定の幅で形成され、隣接して施工される他の外壁材との間に目地処理を施すための目地処理代部と、を備え、
前記外壁材本体部の表面側には、
前記目地処理代部に隣接し平行して帯状に延びる化粧目地が前記矩形の少なくとも１辺に沿って形成されていると共に、前記化粧目地よりも高く形成された台状部が形成されており、
前記台状部の正面視形状は、縦横の長さの比が略黄金比をなす長方形であることを特徴とする乾式外壁材。
【請求項２】
前記化粧目地は、前記矩形の２つの長辺にそれぞれ沿う位置に２つ存在しており、
前記矩形の２つの短辺は、それぞれ、前記台状部の輪郭をなす長方形の短辺を含んでいることを特徴とする請求項１に記載の乾式外壁材。
【請求項３】
前記化粧目地は、前記矩形の１つの長辺に沿って１つのみ位置しており、
前記矩形の他の長辺は、前記台状部の輪郭をなす長方形の長辺を含んでおり、
前記矩形の２つの短辺は、それぞれ、前記台状部の輪郭をなす長方形の短辺を含んでいることを特徴とする請求項１に記載の乾式外壁材。
【請求項４】
前記化粧目地の表面は、前記目地処理において前記目地処理代部に設けられる充填材の表面と同じ高さに設けられていることを特徴とする請求項１〜３の何れか１項に記載の乾式外壁材。
【請求項５】
正面視形状が、縦及び横の長さを３０３ｍｍの略整数倍とする矩形であることを特徴とする請求項１〜４の何れか１項に記載の乾式外壁材。
【発明の詳細な説明】
【技術分野】
【０００１】
本発明は、乾式外壁材に関するものである。
【背景技術】
【０００２】
従来、このような分野の技術として、下記特許文献１に記載の外壁材が知られている。外壁材は、建物表面に施工されるものであり、建物の意匠性を向上させるべく、タイル柄やチェック柄等の模様が外壁材自体に施されているものもある。
【先行技術文献】
【特許文献】
【０００３】
【特許文献１】特開２０００−１６９２６２号公報
【発明の概要】
【発明が解決しようとする課題】
【０００４】
建物の顔となるファサードの外壁の外壁材は、建物の外観を直接左右するものであり、例えば、外壁材の目地の配置によっても建物の外観が大きく異なるものである。この種の外壁材においては、厚さが薄い外壁材を建物に施す場合にも重厚感・安定感があり、また意匠性が高い建物の外観が望まれる。
【０００５】
本発明は、重厚感・安定感があり、また意匠性が高い建物の外観を実現する乾式外壁材を提供することを目的とする。
【課題を解決するための手段】
【０００６】
本発明の乾式外壁材は、建物の外壁に用いられる板状の乾式外壁材であって、正面視で矩形をなす外壁材本体部と、外壁材本体部の輪郭をなす矩形の４辺上に当該外壁材本体部の周囲を包囲するように所定の幅で形成され、隣接して施工される他の外壁材との間に目地処理を施すための目地処理代部と、を備え、外壁材本体部の表面側には、目地処理代部に隣接し平行して帯状に延びる化粧目地が矩形の少なくとも１辺に沿って形成されていると共に、化粧目地よりも高く形成された台状部が形成されており、台状部の正面視形状は、縦横の長さの比が略黄金比をなす長方形であることを特徴とする。
【０００７】
この乾式外壁材を建物外壁に配列したときには、長方形の台状部と、台状部同士の間に存在する帯状の溝とが、外観に現れる。上記の帯状の溝は、化粧目地と本物の目地とが合わさって構成されたものである。このとき、外壁の外観上、帯状の溝が強調され、その溝の一部分である本物の目地は目立たないこととなる。従って、上記の帯状の溝が強調され、更に、台状部は、縦横の長さの比が略黄金比をなす長方形であることにより、重厚感・安定感があり、意匠性が高い建物の外観が実現される。
【０００８】
また、具体的には、化粧目地は、上記矩形の２つの長辺にそれぞれ沿う位置に２つ存在しており、上記矩形の２つの短辺は、それぞれ、台状部の輪郭をなす長方形の短辺を含んでいることとしてもよい。この乾式外壁材を建物外壁に配列したときには、台状部の長辺同士に挟まれる配置で、上記２つの化粧目地とその間に形成される本物の目地とを合わせて構成される帯状の溝が現れる。
【０００９】
また、化粧目地は、上記矩形の１つの長辺に沿って１つのみ位置しており、上記矩形の他の長辺は、台状部の輪郭をなす長方形の長辺を含んでおり、上記矩形の２つの短辺は、それぞれ、台状部の輪郭をなす長方形の短辺を含んでいることとしてもよい。この乾式外壁材を建物外壁に配列したときには、台状部の長辺同士に挟まれる配置で、上記化粧目地と本物の目地とで構成される帯状の溝が現れる。この場合、帯状の溝における本物の目地は、帯状の溝の端部であり台状部に隣接する位置にあるので、本物の目地は更に目立たなくなる。その結果、更に、重厚感・安定感があり、意匠性が高い建物の外観が実現される。
【００１０】
また、化粧目地の表面は、目地処理において目地処理代部に設けられる充填材の表面と同じ高さに設けられていることが好ましい。この構成によれば、上記帯状の溝の表面は、本物の目地における充填材の表面と、化粧目地の表面とで構成される。そして、化粧目地の表面と充填材の表面とが面一に形成されることにより、帯状の溝における本物の目地がより目立ちにくくなり、その結果、更に、重厚感・安定感があり、意匠性が高い建物の外観が実現される。
【００１１】
また、本発明の乾式外壁材の正面視形状が、縦及び横の長さを３０３ｍｍの略整数倍とする矩形であることとしてもよい。
【発明の効果】
【００１２】
本発明の乾式外壁材によれば、重厚感・安定感があり、また意匠性が高い建物の外観を実現することができる。
【図面の簡単な説明】
【００１３】
【図１】本発明の乾式外壁材の第１実施形態であるＡＬＣパネルを示す正面図である。
【図２】図１のＡＬＣパネルを拡大して示す正面図である。
【図３】図１のＡＬＣパネルのIII-III断面図である。
【図４】図１のＡＬＣパネルのIV-IV断面図である。
【図５】施工時において短辺同士で隣接するＡＬＣパネル同士の接続部を拡大して示す図である。
【図６】施工時において長辺同士で隣接するＡＬＣパネル同士の接続部を拡大して示す断面図である。
【図７】図１のＡＬＣパネルを建物外壁に配列し施工した状態を示す正面図である。
【図８】図１のＡＬＣパネルの変形例を拡大して示す正面図である。
【図９】図８のＡＬＣパネル同士を長辺同士で接続したときの接続部を拡大して示す断面図である。
【図１０】本発明の乾式外壁材の第２実施形態であるＡＬＣパネルを示す正面図である。
【図１１】図１０のＡＬＣパネルを拡大して示す正面図である。
【図１２】図１０のＡＬＣパネルのXII-XII断面図である。
【発明を実施するための形態】
【００１４】
以下、図面を参照しつつ本発明に係る乾式外壁材の好適な実施形態について詳細に説明する。
【００１５】
（第１実施形態）
図１〜図４を参照しながら、本発明に係る乾式外壁材の第１実施形態として、ＡＬＣ（軽量気泡コンクリート）パネル１について説明する。ＡＬＣパネル１は、建物の外壁に縦横に配列されて用いられる乾式外壁材である。ＡＬＣパネル１は、正面視で６０６ｍｍ×９０８ｍｍの長方形をなし、最厚部分の厚さが３７ｍｍといった板状のものである。ＡＬＣパネル１の寸法は、３０３ｍｍを１単位Ｌとした尺モジュール規格に対応可能とするために、ＡＬＣパネル１の縦横の長さは、Ｌの略整数倍の値が採用される。ここでは、ＡＬＣパネル１の短辺の長さ６０６ｍｍはＬの２倍であり、長辺の長さ９０８ｍｍはＬの略３倍である。「３０３ｍｍの略整数倍」とは、例えば、３０３ｍｍの整数倍の値に対し±５ｍｍの範囲とする。また、ＡＬＣパネル１の縦横の長さを、３０３ｍｍの整数倍の値に対し±３ｍｍの範囲とすると、尺モジュール規格への適合性が更によくなるので、より好ましい。また、ＡＣＬパネル１の厚さは特に限定されないが、３０〜１００ｍｍとなる。なお、発明の理解を容易にするために、各図面においては各部の形状を誇張して描く場合があり、図面上の寸法比は、実物の寸法比とは必ずしも一致しない。また、各図に記入したＡＬＣパネル各部の寸法の単位はすべて〔ｍｍ〕である。
【００１６】
ＡＬＣパネル１は、正面視で長方形（矩形）をなすパネル本体部３と、パネル本体部３を包囲するようにその４辺に沿って所定の幅で形成された目地処理代部５ａ，５ｂ，５ｃ，５ｄとを備えている。目地処理代部５ａ〜５ｄは、施工時に隣接する他のＡＬＣパネルとの間に目地処理を施すためのものである。すなわち、ここでは、ＡＬＣパネル１全体のうち、他のパネルとの接続に必要な加工代（目地処理代部５ａ〜５ｄ）を除いた部分を、パネル本体部３と称している。目地処理代部５ｂ，５ｃ，５ｄの幅は５．５ｍｍであり、目地処理代部５ａの幅は３．８ｍｍである。目地処理代部５ａ〜５ｄは、後述のとおり、シーリング材充填部２１と面取り部２７とを含む部分である。
【００１７】
以下、図２に示すように、パネル本体部３の輪郭をなす長方形に「６０」の符号を付して示す。また、長方形６０の長辺に「６０ａ，６０ｃ」の符号を付し、長方形６０の短辺に「６０ｂ，６０ｄ」の符号を付して示す。
【００１８】
パネル本体部３の表面側には、長方形６０の長辺６０ａ，６０ｃに平行に延びる段差部１１が設けられている。パネル本体部３の表面側は、段差部１１を境界として２つに分割されている。２分割された一方の領域は、目地処理代部５ａに隣接し平行して帯状に延びる化粧目地１３として形成されており、他方の領域は、化粧目地１３よりも高く形成された台状部１５として形成されている。化粧目地１３は、幅４１ｍｍといった比較的幅広の帯状をなし、施工時に実際に形成される本物の目地よりも幅が広い。なお、台状部１５は、ＡＬＣパネル１の最厚部分である。
【００１９】
台状部１５は、化粧目地１３よりも５ｍｍ高く形成されており、正面視で５５４ｍｍ×８９７ｍｍの長方形をなしている。長方形をなす台状部１５は、４辺のうちの３辺において、目地処理代部５ｂ，５ｃ，５ｄと隣接している。以下、図２に示すように、台状部１５の輪郭をなす長方形に「７０」の符号を付して示す。また、長方形７０の長辺に「７０ａ，７０ｃ」の符号を付し、長方形７０の短辺に「７０ｂ，７０ｄ」の符号を付して示す。長方形７０の短辺７０ｂ，７０ｄは、それぞれ、長方形６０の短辺６０ｂ，６０ｄに含まれている。長方形７０の長辺７０ｃは、長方形６０の長辺６０ｃと重なっている。
【００２０】
長方形７０の短辺７０ｂ，７０ｄの長さ５５４ｍｍと、長辺７０ａ，７０ｃの長さ８９７ｍｍとの比は、ほぼ１：（１＋√５）／２  （1:1.618…）の黄金比である。すなわち、台状部１５は、正面視において、縦横の長さの比が略黄金比をなす長方形であるので、見る者に安定感や美観を感じさせる外観を呈する。ここで、「略黄金比」とは、１：１．６０〜１：１．６４の範囲を指す。この範囲であれば、縦横の長さの比が真の黄金比をなす長方形と同等の安定感や美観を生じせしめることができる。
【００２１】
図３及び図４に示すように、目地処理代部５ａ〜５ｄは、パネル本体部３の台状部１５よりも低く形成された幅３．５ｍｍのシーリング材充填部２１を有している。この構成によれば、施工時には、図５及び図６に示すように、隣接するＡＬＣパネル１同士の接続部分に、幅７．０ｍｍの溝部が形成されるので、目地処理においては当該溝部にシーリング材（充填材）２３を充填することができる。更に、目地処理代部５ａ〜５ｄは、パネル本体部３との段差部分の角部に形成された面取り部２７を有している。面取り部２７の存在により、施工されたＡＬＣパネル１に塗装を施す場合に、目地付近にも良好に塗料が付着する。
【００２２】
図５に示されるように、施工時において、目地処理代部５ｂと目地処理代部５ｄとの接続部分においては、シーリング材２３は、面取り部２７の下端よりもやや上の位置に達する高さまで溝部に充填され、パネル本体部３の表面よりも低い位置に目地２９ｂの表面が形成される。一方、図６に示されるように、目地処理代部５ａに隣接する化粧目地１３が低い位置にあることから、施工時に、目地処理代部５ａと目地処理代部５ｃとの接続部分においては、化粧目地１３の表面と、シーリング材２３の露出した表面と、が同じ高さになるように、シーリング材２３が充填される。このように、化粧目地１３の表面とシーリング材２３の表面とが面一になることで、化粧目地１３と本物の目地２９ａとが一体になって、長辺６０ａに平行に延びる帯状の溝３１が形成される。
【００２３】
このようなＡＬＣパネル１の製作は以下のとおり行われる。まず、型枠中に補強材のラス網を配置し、この型枠内に、石灰質材料及び珪酸質原料を粉砕したもの、適量の水、及び気泡材等を混合した原料スラリーを注入してラス網を包囲し、原料スラリーを発泡硬化させてモルタルブロックを形成する。そして、モルタルブロックをピアノ線等により所望の寸法に切断し、オートクレーブ養生を施す。目地処理代部５ａ〜５ｄは、切削加工により形成される。化粧目地１３は、切削等の加工により形成される。すなわち、化粧目地１３は、刃物で削る切削加工で形成してもよく、又はプレス等で凹ませて形成してもよい。なお、上記補強材はラス網に限られず、メタルラスや鉄筋格子などを補強材として使用することもできる。
【００２４】
以上説明したとおり、ＡＬＣパネル１は、短辺２Ｌ、長辺３Ｌ（Ｌ＝３０３ｍｍ）の尺モジュール規格の外壁材であり、ＡＬＣパネル１の最厚部分である台状部１５が正面視で５５４ｍｍ×８９７ｍｍの長方形をなしている。そして台状部１５の輪郭をなす上記長方形は、短辺と長辺との比を略黄金比とするものである。
【００２５】
次に、ＡＬＣパネル１による作用効果について説明する。
【００２６】
図７は、多数のＡＬＣパネル１を建物の外壁に配列し施工した状態の正面図を示している。ここでは、各ＡＬＣパネル１は、化粧目地１３側を上にして縦横に二次元的に配列される。この外壁においては、格子状に配列された台状部１５と、台状部１５同士で上下に挟まれ水平に延びる溝３１と、が特徴的な外観として現れる。このとき、比較的幅広い水平帯状の溝３１が強調されるので、本物の目地２９ａは目立たないこととなる。従って、溝３１が強調され、更に、台状部１５が、縦横の長さの比が略黄金比をなす長方形をなすことにより、重厚感・安定感があり、意匠性が高い建物の外観が実現される。すなわち、比較的幅広い溝３１を目立たせることにより、厚さが薄いＡＬＣパネルを用いた場合にも、重厚感のある石積みのようなどっしりとした安定感のある建物の外観が実現される。換言すれば、比較的薄いＡＬＣパネルを採用しながら、重厚感・安定感がある外観を実現できるので、外壁材の軽量化を図ることもできる。
【００２７】
なお、施工時に溝３１のような外観的に強調される溝を形成させるためには、例えば、図８のようなＡＬＣパネル１０１を用いてもよい。ＡＬＣパネル１０１においては、パネル本体部３のうち、長方形６０の２つの長辺６０ａ，６０ｃに沿うそれぞれの位置に、２つの化粧目地１１３ａ，１１３ｃが形成されている。そして、化粧目地１１３ａ，１１３ｃの間に挟まれた領域に、当該化粧目地１１３ａ，１１３ｃよりも高く形成された台状部１５が形成されており、台状部１５の正面視形状は、縦横の長さの比が略黄金比をなす長方形である。長方形６０の短辺６０ｂ、６０ｄは、それぞれ、長方形７０の短辺７０ｂ，７０ｄを含んでいる。なお、化粧目地１１３ａと１１３ｃとは、同じ幅でなくてもよい。
【００２８】
このようなＡＬＣパネル１０１を建物の外壁に配列し施工した場合、図９に示すように、台状部１５同士の間には、化粧目地１１３ａと、本物の目地２９ａと、化粧目地１１３ｃとを合わせてなる溝１３１が形成される。よって、外壁の外観上は、溝１３１が強調されて、本物の目地２９ａが目立たず、ＡＬＣパネル１と同等の作用効果が奏される。但し、ＡＬＣパネル１０１を配列した外壁においては、図９に示されるように、本物の目地２９ａが溝１３１の中央付近に現れるので、本物の目地２９ａを目立たせない効果については、ＡＬＣパネル１には及ばないと考えられる。
【００２９】
すなわち、ＡＬＣパネル１においては、化粧目地１３が、長方形６０の１つの長辺６０ａに沿って１つのみ存在する構成を有している。この構成によって、図５及び図７に示されるように、施工後における本物の目地２９ａは、溝３１の端部に位置し、しかも台状部１５に隣接して存在する。従って、ＡＬＣパネル１が施工された外壁では、ＡＬＣパネル１０１を用いた場合に比べても、更に、本物の目地２９ａが目立ちにくい。このように、上記のように化粧目地１３をパネル本体部３の端部に１つのみ設けるといったＡＬＣパネル１の構成は、本物の目地２９ａをより目立たなくする作用効果を奏する。
【００３０】
また、化粧目地１３の表面とシーリング材２３による本物の目地２９ａの表面とが同じ高さに設けられている構成により、化粧目地１３の表面とシーリング材２３の表面とが面一に形成されるので、溝３１における本物の目地２９ａをより目立たなくする作用効果を奏する。その結果、更に、重厚感・安定感があり、意匠性が高い建物の外観が実現される。
【００３１】
また、図７に示したように、ＡＬＣパネル１を外壁に配列施工するときに、化粧目地１３側（目地処理代部５ａ側）を上にして設置する施工方法によれば、水平に延びる本物の目地２９ａは、台状部１５の直ぐ下方に隣接して位置することになる。そうすると、外壁の斜め上方向から太陽光を受けた場合に、本物の目地２９ａが台状部１５の影に入りやすく、その結果、本物の目地２９ａが更に目立ちにくいといった効果が得られる。
【００３２】
（第２実施形態）
続いて、図１０〜図１２を参照しながら、本発明に係る乾式外壁材の第２実施形態として、ＡＬＣパネル２０１について説明する。なお、ＡＬＣパネル２０１の長辺に直交する断面の形状は、図３に示すＡＬＣパネル１の断面形状と同一であるので、図示を省略する。
【００３３】
図に示すように、ＡＬＣパネル２０１は、前述のＡＬＣパネル１を長手方向に２つ接続し一体化したような構造を有している。ＡＬＣパネル２０１は、正面視で６０６ｍｍ×１８１８ｍｍの長方形をなし、最厚部分の厚みが３７ｍｍといった板状のものである。ここでは、ＡＬＣパネル２０１の短辺の長さ６０６ｍｍはＬの２倍であり、長辺の長さ１８１８ｍｍはＬの６倍である。ＡＬＣパネル２０１において、ＡＬＣパネル１と同一又は同等の構成要素については図面に同一の符号を付して、重複する説明を省略する。
【００３４】
ＡＬＣパネル１は、正面視で長方形をなすパネル本体部２０３と、パネル本体部３を包囲するようにその４辺に沿って所定の幅で形成された目地処理代部５ａ，５ｂ，５ｃ，５ｄとを備えている。
【００３５】
以下、図に示すように、パネル本体部２０３の輪郭をなす長方形に「２６０」の符号を付して示す。また、長方形２６０の長辺に「２６０ａ，２６０ｃ」の符号を付し、長方形２６０の短辺に「２６０ｂ，２６０ｄ」の符号を付して示す。
【００３６】
パネル本体部２０３の表面側には、長方形２６０の長辺２６０ａ，２６０ｃに平行に延びる段差部２１１が設けられている。パネル本体部２０３の表面側は、段差部２１１を境界として２つに分割されている。２分割された一方の領域は、目地処理代部５ａに隣接し平行して帯状に延びる化粧目地２１３として形成されており、他方の領域は、化粧目地２１３よりも高く形成された凸面部２１４として形成されている。さらに、凸面部２１４は、短辺２６０ｂ，２６０ｄに平行に延びる幅約１２ｍｍの第２化粧目地２１６によって、同一形状の２つの台状部２１５に分割されている。台状部２１５は、前述の台状部１５と同一形状をなし、化粧目地２１３よりも５ｍｍ高く形成されており、正面視で５５４ｍｍ×８９７ｍｍの長方形をなしている。すなわち、台状部２１５は、それぞれ、正面視で縦横の長さの比が略黄金比をなす長方形である。なお、ＡＬＣパネル２０１全体の寸法が変動する場合にも、目地処理代部５ａ〜５ｄや第２化粧目地２１６の形状や寸法を調整することにより、台状部２１５の寸法を５５４ｍｍ×８９７ｍｍになるように調整することができる。
【００３７】
以上説明したとおり、ＡＬＣパネル２０１は、短辺２Ｌ、長辺６Ｌ（Ｌ＝３０３ｍｍ）の尺モジュール規格の外壁材であり、ＡＬＣパネル２０１の最厚部分である２つの台状部２１５が長手方向に配列されており、台状部２１５は、それぞれ正面視で５５４ｍｍ×８９７ｍｍの長方形をなしている。そして台状部２１５の輪郭をなす上記長方形は、短辺と長辺との比を略黄金比とするものである。
【００３８】
以上のＡＬＣパネル２０１を建物の外壁に配列し施工した場合には、ＡＬＣパネル１を建物の外壁に配列し施工した状態（図７参照）とほぼ同一の外観が現れる。従って、ＡＬＣパネル２０１によれば、前述したＡＬＣパネル１による作用効果と同一の作用効果が奏される。
【００３９】
本発明は、前述した実施形態に限定されるものではない。例えば、実施形態では、化粧目地１３を長方形６０の１つの長辺６０ａに沿って形成する形態と、化粧目地１３を長方形６０の２つの長辺６０ａ，６０ｃそれぞれに沿って２つ形成する形態とを説明しているが、化粧目地は、長方形６０の３辺それぞれに沿って３つ存在してもよく、長方形６０の４辺それぞれに沿って４つ存在してもよい。すなわち、台状部を、略黄金比の長方形として残すように化粧目地及び第２化粧目地を形成する形態であればよい。この場合、台状部の個数は、１つ又は２つに限られず、３つ以上としてもよい。また、実施形態ではＡＬＣパネルの例を説明したが、本発明は、例えば、セメント（窯業）系サイディング、セラミック系サイディング、金属系サイディング、樹脂系サイディングといったような、他のタイプの乾式外壁材にも適用可能である。
【符号の説明】
【００４０】
１，１０１，２０１…ＡＬＣパネル（乾式外壁材）、３，２０３…パネル本体部（外壁材本体部）、５ａ，５ｂ，５ｃ，５ｄ…目地処理代部、１１…段差部、１３，２１３…化粧目地、１５，２１５…台状部、２３…シーリング材（充填材）、６０ａ，６０ｃ，２６０ａ，２６０ｃ…長方形の長辺（外壁材本体部の輪郭をなす矩形の長辺）、６０ｂ，６０ｄ，２６０ｂ，２６０ｄ…長方形の短辺（外壁材本体部の輪郭をなす矩形の短辺）、７０ａ，７０ｃ…長方形の長辺（台状部の輪郭をなす長方形の長辺）、７０ｂ，７０ｄ…長方形の短辺（台状部の輪郭をなす長方形の短辺）。
【図１】
2012162946.tif 000003
【図２】
2012162946.tif 000004
【図３】
2012162946.tif 000005
【図４】
2012162946.tif 000006
【図５】
2012162946.tif 000007
【図６】
2012162946.tif 000008
【図７】
2012162946.tif 000009
【図８】
2012162946.tif 000010
【図９】
2012162946.tif 000011
【図１０】
2012162946.tif 000012
【図１１】
2012162946.tif 000013
【図１２】
2012162946.tif 000014